(57)【要約】【課題】  床板に穿設された貫通孔に下部から挿通させて上部に立ち上げた通水管と、床板の上部に配置された継手部材とが接続され、この接続状態を保持する配管固定具において、管継手と止水栓とを接続するにあたり、通水管を引き上げても支持部材が移動することがない配管固定具を提供する。【解決手段】  床板１に穿設された貫通孔２に下部から挿通させて上部に立ち上げた通水管４と、床板１の上部に配置された継手部材６０とが接続され、この接続状態を保持する配管固定具Ａは、床板１の貫通孔２に固定される固定部材１０と、該固定部材１０に収容され且つ前記通水管４を支持するための支持部材２０と、前記継手部材６０を保持するとともに前記通水管４の外周を覆う保護部材４０とを有し、前記支持部材２０は固定部材１０からの移動を規制する移動規制手段を備えた。【選択図】  図１
2006275074.tif 000002
【特許請求の範囲】
【請求項１】
床板に穿設された貫通孔に下部から挿通させて上部に立ち上げた通水管と、床板の上部に配置された継手部材とが接続され、この接続状態を保持する配管固定具は、床板の貫通孔に固定される固定部材と、該固定部材に収容され且つ前記通水管を支持するための支持部材と、前記継手部材を保持するとともに前記通水管の外周を覆う保護部材とを有し、前記支持部材は固定部材からの移動を規制する移動規制手段を備えたことを特徴とする配管固定具。
【請求項２】
前記移動規制手段は、固定部材または支持部材のいずれか一方に形成された係止突起と、他方に形成された係止溝とからなり、係止突起と係止溝とが係合することにより、支持部材の移動が規制されることを特徴とする請求項１記載の配管固定具。
【請求項３】
前記支持部材には、工具が差込可能な溝部が形成されたことを特徴とする請求項１または請求項２に記載の配管固定具。
【請求項４】
前記通水管は床板の下部で鞘管に被覆され、支持部材には鞘管を保持する抜止部が形成されたことを特徴とする請求項１乃至請求項３の何れかに記載の配管固定具。
【発明の詳細な説明】
【技術分野】
【０００１】
本発明は、床下空間から床板の貫通孔に挿通させて床板の上部に立ち上げた通水管と、床板の上部に配置された継手部材との接続状態を保持する配管固定具に関するものである。
【背景技術】
【０００２】
一般に集合住宅、戸建住宅等において、洗面台，流し台，浴室，トイレ，洗濯機等の給水器具へ給水，給湯配管の施工を行なう場合、建物の躯体工事の際に水用，湯用の各ヘッダーと給水器具との間で蛇腹状の鞘管をタコ足状に配設しておき、設備工事の際にこの鞘管内に水用，又は湯用の通水管を挿通させ、ヘッダーと給水器具とを通水管により接続する配管工法が行われている。この配管工法により鞘管に通水管を挿通し、通水管を床下空間から床板の上部に立ち上げて床板の上部に配置された継手部材に接続し、この継手部材から給水器具へ水又は湯を供給する構造として、本出願人が先に出願した特許文献１のものがある。
【０００３】
この特許文献１について簡単に説明すると、建物の床板下部に配設された合成樹脂製の通水管によって各給水器具への給水を行うべく構成した通水管と継手部材との接続構造において、床板に通水管を挿通するためのガイド筒を取り付け、このガイド筒は床板の上面に配設される固定部材と、この固定部材に対し上部から嵌合して結合される円筒部材と、固定部材の内部に収容され通水管を支持するための支持部材と、支持部材の上部に装着され床板の下部への漏水を防止するためのパッキンとを有している。また、ガイド筒の上部には管継手が収容され、この管継手に通水管が接続され、管継手の他端に止水機能を有する継手部材が接続されるものである。
【特許文献１】特願２００４−１４６号
【発明の開示】
【発明が解決しようとする課題】
【０００４】
特許文献１において、通水管と管継手とを接続する際には、その接続作業が行い易いように、通水管を床板の上部へ引き上げる必要がある。この場合、支持部材が固定部材の内部に強固に固定されていないため、通水管を引き上げる際に、支持部材はその引き上げ方向、すなわち床板の上部に向かってずれてしまう。そのため、一方の手で支持部材を押さえつけておくか、または通水管と管継手との接続作業が終了した後に、再度支持部材を固定部材の内部に固定し直さなくてはならず、取付作業は時間のかかるものであった。
【０００５】
本発明は、このような従来の技術に存在する問題点に着目してなされたものであり、その目的は、床板に穿設された貫通孔に下部から挿通させて上部に立ち上げた通水管と、床板の上部に配置された継手部材とが接続され、この接続状態を保持する配管固定具において、管継手と止水栓とを接続するにあたり、通水管を引き上げても支持部材が移動することがない配管固定具を提供することである。
【課題を解決するための手段】
【０００６】
上記目的を達成するために、請求項１に記載の発明は、床板に穿設された貫通孔に下部から挿通させて上部に立ち上げた通水管と、床板の上部に配置された継手部材とが接続され、この接続状態を保持する配管固定具は、床板の貫通孔に固定される固定部材と、該固定部材に収容され且つ前記通水管を支持するための支持部材と、前記継手部材を保持するとともに前記通水管の外周を覆う保護部材とを有し、前記支持部材は固定部材からの移動を規制する移動規制手段を備えたものである。
【０００７】
請求項２では、請求項１に記載の発明において、前記移動規制手段は、固定部材または支持部材のいずれか一方に形成された係止突起と、他方に形成された係止溝とからなり、係止突起と係止溝とが係合することにより、支持部材の移動が規制される構成としたものである。
【０００８】
請求項３では、請求項１または請求項２に記載の発明において、前記支持部材には、工具が差込可能な溝部が形成されたものである。
【０００９】
請求項４では、請求項１乃至請求項３の何れかに記載の発明において、前記通水管は床板の下部で鞘管に被覆され、支持部材には鞘管を保持する抜止部が形成されたものである。
【発明の効果】
【００１０】
本発明の請求項１では、支持部材には固定部材からの移動を規制する移動規制手段を備えているので、固定部材から容易に外れないように固定され、継手部材の取付位置の調節などで通水管を引き上げても浮き上がることがなく、従来のように、通水管を引き上げた後に支持部材を固定部材へ固定し直さなくてもよいため、施工性が向上する。
【００１１】
請求項２では、移動規制手段は、固定部材または支持部材のいずれか一方に形成された係止突起と、他方に形成された係止溝とからなり、係止突起と係止溝とが係合することにより、支持部材の移動が規制される構成であるので、固定部材に対する支持部材の固定を誰にでも容易に行うことができる。
【００１２】
請求項３では、支持部材には工具が差込可能な溝部が形成されたので、ドライバー等の工具を使用することにより容易に支持部材を回転させることができ、固定部材と支持部材とを容易に固定することができる。
【００１３】
請求項４では、通水管は床板の下部で鞘管に覆われ、支持部材には、鞘管を保持する抜止部が形成されたので、配管固定具が鞘管の保持を兼ねることで、鞘管を保持するための別の物品を用意する必要がなく、部品点数を削減してコストダウンを図ることができる。
【発明を実施するための最良の形態】
【００１４】
以下、本発明の実施例を図に基づいて詳細に説明する。
【実施例１】
【００１５】
本発明において、配管固定具Ａは、住宅内で混合水栓等の給水器具が設けられている洗面台，流し台，浴室，トイレ等の近くに配置されるものであり、図１に示すように、床板１に穿設された貫通孔２から上部に立ち上がるように固定される。床板１の下部には、蛇腹状の鞘管３が図示しないヘッダーから貫通孔２の下部に向けて配設されており、鞘管３の内部に挿通した通水管４は、貫通孔２を挿通して床板１の上部に立ち上げられる。また、通水管４の先端には管継手５０が結合され、この管継手５０は床板１の上部で固定金具７０により継手部材６０に接続される。配管固定具Ａは床板１の貫通孔２周縁に固定され、床板１から立ち上がる通水管４及び管継手５０はこの配管固定具Ａにより覆われ、外部に露出しないものである。
【００１６】
前記通水管４は、ヘッダーから給水器具に対し水又は湯を供給するものであり、容易に折曲することのできる合成樹脂製の架橋ポリエチレン管，ポリブテン管等で形成され、上流側の先端は床板１の下部に配置されたヘッダーに接続され、下流側の先端は管継手５０を介して前記継手部材６０に接続されるものである。この通水管４は、床板１の下部に予め配設された蛇腹状の鞘管３の挿通孔３ａに挿通させることで、鞘管３に被覆されて外部から保護されるもので、通水管４の下流側は鞘管３から露出し、床板１の貫通孔２から上部に向けて垂直方向に立ち上がり、床板１の上部で配管固定具Ａの上端から露出させるものである。
【００１７】
前記配管固定具Ａは、図１及び図２に示すように、床板１に穿設された貫通孔２周縁に固定される固定部材１０と、前記固定部材１０の内部に収容され通水管４を支持するための支持部材２０と、床板１の下部への漏水を防止するためのパッキン３０と、固定部材１０に装着されるとともに通水管４の外周を保護する保護部材４０とを有し、固定部材１０と支持部材２０とには、支持部材２０の上下方向への移動を規制する移動規制手段を備えている。
【００１８】
前記固定部材１０は略円盤型で、床板１の上面に配設され、上下に貫通する第１挿通孔１３が設けられたフランジ部１１と、このフランジ部１１から下方へ突出し床板１の貫通孔２内に挿通される環状の下側突部１４と、フランジ部１１から上方へ突出し下側突部１４よりやや大径である環状の上側突部１５とが形成され、上側突部１５の外周には雄ねじ１６が形成されている。また固定部材１０には支持部材２０を収容するための収容室１７が形成され、この収容室１７の内周面には支持部材２０の上下方向の移動を規制するための係止突起１８が複数個（本実施例では２個）形成されている。なお係止突起１８は、円弧状に形成されるとともに、その一端には規制片１８ａが下方に突出して形成されている。そして固定部材１０は、シール用のパッキン１９をフランジ部１１の下側に配置させた後に、下側突部１４を貫通孔２に挿入させた状態で、フランジ部１１に穿設された一対のビス孔１２，１２に対し、床板１の上部からビス５，５をそれぞれ螺着することで床板１に固定される。
【００１９】
前記支持部材２０は合成樹脂製で、略半円盤型に形成された第１分割体２０ａと、同じく略半円盤型に形成された第２分割体２０ｂとからなり、両分割体２０ａ，２０ｂは一体で、薄肉に形成された結合部２０ｃを中心として左右方向へ回転自在に結合され、両分割体２０ａ，２０ｂを左右から重ね合わせると略円筒型となり、この支持部材２０の内部には第２挿通孔２１が設けられる。この分割体２０ａ，２０ｂは、図３に示すように、固定部材１０の上側突部１５の内径と略同径の外径を有する大径部２２と、大径部２２よりやや小径でその下部に形成された小径部２４とから構成され、大径部２２の上面には凹状の溝部２３が形成されている。そして、小径部２４の上端近傍の外周には複数個（本実施例では２個）の凸部２５が外方に突出して形成されるとともに、この凸部２５と大径部２２との間には係止溝２６が形成されている。
【００２０】
この支持部材２０は、図４に示すように、床板１の貫通孔２から上部に向けて立ち上がる通水管４に対し側方から水平方向に移動させて結合し、第２挿通孔２１に通水管４を挿通させた状態で、前記固定部材１０に装着させる。このとき支持部材２０は、凸部２５を固定部材１０に形成された各係止突起１８の間に挿入させた後、溝部２３にドライバー等の工具を差し込んで、凸部２５の一端と係止突起１８の規制片１８ａとが当接するまで回転させることで、固定部材１０の係止突起１８と支持部材２０の係止溝２６とが係合された状態となり、支持部材２０の上下方向への移動が規制されるものである。
【００２１】
また支持部材２０は、前記通水管４が配管固定具Ａの内部で振動することがないように支持するためのものであり、その内周面の下部には前記鞘管３を保持するための抜止部２７が内周側に向けて突出するようにして形成されている。鞘管３は蛇腹状で、外周面の長手方向に沿って凹部３ｂ及び凸部３ｃが交互に形成されており、支持部材２０の第２挿通孔２１に対し下部から鞘管３が挿入されると、抜止部２７は凸部３ｃを乗り越え、凹部３ｂに対し弾力的に係合することで、配管固定具Ａから抜け出ることがないように保持される。なお、本実施例の支持部材は、略半円筒型からなる２つの分割体を結合部により結合させ一体としているが、分割体を結合させず別体としてもよい。
【００２２】
前記パッキン３０は例えばゴム等の弾性体からなり、中心に第３挿通孔３１が設けられた円盤型で、第３挿通孔３１の内周縁から外周縁に向けてスリット３２が形成されており、このスリット３２が形成されることで図４に示すように、通水管４に対し側方から水平方向に移動させて結合し、前記支持部材２０の上部へ装着させることができるものである。このパッキン３０は第３挿通孔３１に通水管４が挿通されると、通水管４の外周面に対し押圧されることで水密的に密着し、例えば通水管４と管継手５０との間で漏水が発生し、水滴がパッキン３０に落下しても、水滴はパッキン３０で堰き止められ、パッキン３０より下部に落下することがなく、床板１の下部へ水が侵入しないようにしている。
【００２３】
前記保護部材４０は下部側の円錐体４１と上部側の胴体４２とからなり、内部には上下に貫通する収容室４３が形成されている。円錐体４１は前記固定部材１０のフランジ部１１を覆うことができる外径で、図１に示すように内周面に環状体４４が形成され、この環状体４４の内周面には、固定部材１０の上側突部１５の外周面に形成された雄ねじ１６に螺合される雌ねじ４５が形成されている。保護部材４０の収容室４３は、通水管４及び管継手５０が余裕をもって挿入される外径であり、円錐体４１の内側には、前記支持部材２０とパッキン３０とが上下に重なり合うようにして装着される。なお、この保護部材４０にはメッキや着色等の装飾が施されている。
【００２４】
前記管継手５０は通水管４の先端が接続される略円筒状の本体部５１と、この本体部５１に螺着されるナット５６と、このナット５６の先端に設けられ、本体部５１とナット５６との間に挿入される通水管４を保持するための抜け止め具５７とを備えている。
【００２５】
前記管継手５０の本体部５１は略円筒状で、上部先端にはフランジ５２と、このフランジ５２よりさらに先端の嵌合部５３とが一体に形成され、嵌合部５３はその外周面に複数個の環状溝５４，５４が形成されており、この環状溝５４，５４にはシール用のシール部材５５，５５がそれぞれ装着されている。
【００２６】
前記継手部材６０はハンドル６１が装着され、このハンドル６１を回転操作することで止水弁６２を移動させ、通水管４から給水器具へ供給される水又は湯の止水，通水及び流量調節を可能としたものであり、一端に開口した入口部６３の先端には、固定金具７０を装着するためのフランジ６４が環状に形成され、このフランジ６４は前記管継手５０のフランジ５２と同径で、上下に重なり合うものである。なお、本実施例の継手部材は内部に止水弁を収容しているが、止水弁に限らず逆止弁，ストレーナ，圧力調整弁，水撃防止弁等の機能部品を収容してもよい。
【００２７】
前記固定金具７０は、管継手５０と継手部材６０とをワンタッチで接続可能とするためのもので、図２に示すように、弾性力を有する１枚の金属板を折曲して形成したもので、基部７１の両端から外側へ略く字型に膨出させた係止部７２，７２と、係止部７２，７２の先端で外側へ略ハ字型に開いた脚部７３，７３とを設け、この両脚部７３，７３の間に管継手５０の嵌合部５３と継手部材６０の端部が挿通する挿通部７４が形成されている。前記基部７１から脚部７３，７３にかけて、前記管継手５０と継手部材６０との両フランジ５２，６４を重ね合わせた厚みに対応する上下幅で、両フランジ５２，６４を弾性的に嵌入可能な横長のスリット７５が開口し、この固定金具７０は、前記基部７１を支点として拡開，縮径方向に弾性変形可能である。なお、固定金具７０の材質としては、弾性力を有する金属板が好ましいが、合成樹脂材であってもよい。
【００２８】
前記カバー８０は管継手５０と継手部材６０とを接続する固定金具７０を覆うとともに、継手部材６０及び固定金具７０の安定した装着状態を保持するものであり、半円筒型で同一形状の第１カバー部８１と第２カバー部８２とからなり、互いのカバー部８１，８２は左右から向かい合わせて結合させることができる。各カバー部８１，８２の内周面には、固定金具７０の基部７１，係止部７２，脚部７３を保持する保持部８３が環状に形成されている。ここで、管継手５０と継手部材６０とを接続するための固定金具７０は多種類存在するが、固定金具７０はどの製品であっても外観形状は共通している。そこで、固定金具７０の外観形状に合わせてカバー８０の内周面に保持部８３を形成することで、カバー８０の内部に固定金具７０を安定した状態で保持することができる。このカバー８０の外径は、保護部材４０の外周面よりやや大径で、保護部材４０の上部に、カバー８０の底面に形成された溝８４を嵌合させれば、カバー８０を固定することができる。
【００２９】
以下に、通水管４を床板１の下部から貫通孔２に挿通して、床板１の上部に配置された継手部材６０に接続する手順について説明する。
まず図４に示すように、配管固定具Ａの固定部材１０を床板１に対しビス５により固定する。そして、通水管４を床板１の下部から貫通孔２に挿通して固定部材１０の第１挿通孔１３に通水管４を挿通させ、通水管４はその先端に管継手５０を結合する。このとき管継手５０に設けられた抜け止め具５７により、通水管４と管継手５０とは容易に外れないように接続される。なお、管継手５０の通水管４への結合は、通水管４を床板１の貫通孔２に挿通する前でも、挿通して床板１の上部に露出した後でも、どちらでもよい。
【００３０】
次に床板１の上部に露出した通水管４に対し側方から水平方向に支持部材２０を装着し、支持部材２０の第２挿通孔２１に通水管４を挿通させた状態で、固定部材１０の収容室１７に収容する。このとき、図５（ａ）に示すように、支持部材２０の凸部２５を固定部材１０に形成された各係止突起１８の間に挿入させた後、支持部材２０の溝部２３にドライバー等の工具を差し込んで、凸部２５の一端と係止突起１８の規制片１８ａとが当接するまで回転させることで、図５（ｂ）に示すように、固定部材１０の係止突起１８と支持部材２０の係止溝２６とが係合された状態となる。
【００３１】
次に、通水管４に対し側方から水平方向にパッキン３０を装着し、パッキン３０の第３挿通孔３１に通水管４を挿通させる。そして、パッキン３０を支持部材２０の上部に装着させた後、図６に示すように、保護部材４０を固定部材１０に上部から螺着して固定し、通水管４を保護部材４０の収容室４３に収容する。
【００３２】
次に、管継手５０と継手部材６０とを接続するが、この接続作業が行いやすいように、通水管４を施工者の手元近くまで引き上げる。このとき、固定部材１０の係止突起１８と支持部材２０の係止溝２６とからなる移動規制手段により、支持部材２０は固定部材１０から容易に外れないように固定され、通水管４を引き上げても支持部材２０が浮き上がることがない。
【００３３】
そして、継手部材６０の入口部６３に対して管継手５０の嵌合部５３を挿入し、管継手５０と継手部材６０の各フランジ５２，６４が互いに重なり合うようにする。この両フランジ５２，６４に対し固定金具７０のスリット７５を嵌入させることにより、管継手５０と継手部材６０とをワンタッチで接続する。その後、固定金具７０に対してカバー８０を装着する。このとき、固定金具７０の基部７１，両係止部７２，７２，両脚部７３，７３は、カバー８０の保持部８３に弾力的に保持され、振動することがない。このカバー８０は、底面に形成された溝８４を保護部材４０の上部に嵌合させることで、配管固定具Ａに対し着脱自在に支持される。
【００３４】
以上のように、配管固定具の固定部材と支持部材とは、移動規制手段により容易に外れないように固定されるので、継手部材の取付位置の調節などで通水管を引き上げも支持部材が浮き上がることがなく、施工性が向上する。
また、移動規制手段は、固定部材または支持部材のいずれか一方に形成された係止突起と、他方に形成された係止溝とからなり、係止突起とを係合する構成であるので、固定部材と支持部材との固定を誰にでも容易に行うことができる。さらに、支持部材は、溝部にドライバー等の工具を差し込むことにより容易に回転させることができ、固定部材と支持部材とを容易に固定することができる。そして、配管固定具が鞘管の保持を兼ねることで、鞘管を保持するための別の物品を用意する必要がなく、部品点数を削減してコストダウンを図ることができる。
【図面の簡単な説明】
【００３５】
【図１】本発明の配管固定具を床板に取り付けた状態を示す説明図である。
【図２】配管固定具，通水管，管継手，継手部材の関係を示す分解斜視図である。
【図３】固定部材と支持部材の拡大分解斜視図である。
【図４】通水管に対し、支持部材及びパッキンを装着する状態を示す説明図である。
【図５】図１におけるＸ−Ｘ線断面図であり、（ａ）は固定部材と支持部材とは非係合状態を示し、（ｂ）は固定部材と支持部材とは係合状態を示すものである。
【図６】管継手と継手部材とを固定金具により接続し、固定金具をカバーに装着する場合の説明図である。
【符号の説明】
【００３６】
１    ：床板
２    ：貫通孔
１０  ：固定部材
１８  ：係止突起
１８ａ：規制片
２０  ：支持部材
２３  ：溝部
２６  ：係止溝
２７  ：抜止部
４０  ：保護部材
５０  ：管継手
７０  ：固定金具
６０  ：継手部材
Ａ    ：配管固定具
【図１】
2006275074.tif 000003
【図２】
2006275074.tif 000004
【図３】
2006275074.tif 000005
【図４】
2006275074.tif 000006
【図５】
2006275074.tif 000007
【図６】
2006275074.tif 000008